(57)【要約】【課題】携帯情報端末装置の移動位置に応じた最適な放送の自動選局を行なう場合に省電力上の特性に優れたこの種のシステムならびに装置を提供する。【解決手段】放送・通信サービス受信機能付き携帯情報端末装置２００の放送・通信サービス受信部３００を複数の各放送・通信サービス受信部としての、地上波放送受信部３１０、衛星放送部３２０、３Ｇ通信部３３０、および、短距離無線通信部３４０を含んで構成し、短距離通信部としての機能を賄うＲＦＩＤチップ２８０で取得した位置情報に応じてこれら複数の各放送受信部をシステムコントローラ３５０で選択的に稼動させる。【選択図】図３
2007228241.tif 000002
【特許請求の範囲】
【請求項１】
放送・通信サービス受信機能付き携帯情報端末装置と位置情報提供装置とを含んで構成された放送・通信サービス受信システムであって、前記位置情報提供装置は、前記放送・通信サービス受信機能付き携帯情報端末装置が所定の至近距離の範囲内に在ることを検出すると該放送・通信サービス受信機能付き携帯情報端末装置に対し実質的にその現在位置を表す位置情報を提供するように構成され、前記放送・通信サービス受信機能付き携帯情報端末装置は、前記位置情報提供装置から当該位置情報を受信するための短距離通信部と、複数の通信の形態に各別に対応して設けられ且つ前記短距離通信部が受信した位置情報に対応する該当部を選択的に作動させることが可能に構成された複数の各放送・通信サービス受信部と、を備えていることを特徴とする放送・通信サービス受信システム。
【請求項２】
所定の位置情報提供装置との通信によって実質的に自己の現在位置を表す位置情報を受信するための短距離通信部と、複数の通信の形態に各別に対応して設けられ且つ前記短距離通信部が受信した位置情報に対応する該当部を選択的に作動させることが可能に構成された複数の各放送・通信サービス受信部と、を備えていることを特徴とする受信機能付き情報端末装置。
【請求項３】
前記短距離通信部が受信した位置情報と該位置情報に対応して選択可能な前記複数の各放送・通信サービス受信部のうちの特定の放送・通信サービス受信部との対応関係の情報を保有するテーブルが格納された記憶部と、前記記憶部に格納されたテーブルを参照して該当する放送・通信サービス受信部を選択的に作動可能にするための切換部とを更に備えたことを特徴とする請求項２に記載の放送・通信サービス受信機能付き情報端末装置。
【請求項４】
前記切換部によって作動可能となった放送・通信サービス受信部内で選局可能な放送・通信サービスのうちからユーザーの操作に応じて特定の放送・通信サービスを選択する手動選局操作を受付ける操作部を更に備え、前記各放送・通信サービス受信部は前記操作部で受付けた手動選局操作に応じた選局動作を実行可能に構成され、前記テーブルは前記各放送・通信サービス受信部内で夫々選局可能な放送・通信サービスを特定する選局データと選局の履歴データとを更に含むように構成されるものであることを特徴とする請求項３に記載の放送・通信サービス受信機能付き情報端末装置。
【請求項５】
前記複数の各放送・通信サービス受信部のうち少なくとも一の放送・通信サービス受信部は前記テーブルに保有された選局の履歴データに応じて自動的に選局する動作を実行可能に構成されていることを特徴とする請求項４に記載の放送・通信サービス受信機能付き情報端末装置。
【請求項６】
前記複数の各放送・通信サービス受信部は、地上波放送、衛星放送、携帯電話網、無線ＬＡＮ、の何れかに準拠した通信方式によって受信を行うように構成されていることを特徴とする請求項２〜５の何れか一項に記載の放送・通信サービス受信機能付き情報端末装置。
【請求項７】
外部との通信によって自己の位置を検出するための情報を取得する測位用通信部と、前記測位用通信部で受信された情報に基づいて自己の位置を表す位置情報を演算により生成する位置情報生成部と、複数の通信の形態に各別に対応して設けられ且つ前記位置情報生成部によって生成された位置情報に対応する該当部を選択的に作動させることが可能に構成された複数の各放送・通信サービス受信部と、を備えていることを特徴とする放送・通信サービス受信機能付き情報端末装置。
【請求項８】
前記測位用通信部が受信した位置情報と該位置情報に対応して選択可能な前記複数の各放送・通信サービス受信部のうちの特定の放送・通信サービス受信部との対応関係の情報を保有するテーブルが格納された記憶部と、前記記憶部に格納されたテーブルを参照して該当する放送・通信サービス受信部を選択的に作動可能にするための切換部とを更に備えたことを特徴とする請求項７に記載の放送・通信サービス受信機能付き情報端末装置。
【請求項９】
前記切換部によって作動可能となった放送・通信サービス受信部内で選局可能な通信サービスのうちからユーザーの操作に応じて特定の通信サービスを選択する手動選局操作を受付ける操作部を更に備え、前記各放送・通信サービス受信部は前記操作部で受付けた手動選局操作に応じた選局動作を実行可能に構成され、前記テーブルは前記各放送・通信サービス受信部内で夫々選局可能な通信サービスを特定する選局データと選局の履歴データとを更に含むように構成されるものであることを特徴とする請求項８に記載の放送・通信サービス受信機能付き情報端末装置。
【請求項１０】
前記複数の各放送・通信サービス受信部のうち少なくとも一の放送・通信サービス受信部は前記テーブルに保有された選局の履歴データに応じて自動的に選局する動作を実行可能に構成されていることを特徴とする請求項９に記載の放送・通信サービス受信機能付き情報端末装置。
【請求項１１】
前記複数の各放送・通信サービス受信部は、地上波放送、衛星放送、携帯電話網、無線ＬＡＮ、の何れかに準拠した通信方式によって受信を行うように構成されていることを特徴とする請求項７〜１０の何れか一項に記載の放送・通信サービス受信機能付き情報端末装置。
【請求項１２】
前記テーブルは前記位置情報生成部で生成された位置情報とその発生時刻の履歴である移動履歴データをも更に含むように構成されるものであることを特徴とする請求項９に記載の放送・通信サービス受信機能付き情報端末装置。
【請求項１３】
前記複数の各放送・通信サービス受信部のうち少なくとも一の放送・通信サービス受信部は前記テーブルに保有された移動履歴データに応じて自動的に選局する動作を実行可能に構成されていることを特徴とする請求項１２に記載の放送・通信サービス受信機能付き情報端末装置。
【発明の詳細な説明】
【技術分野】
【０００１】
本発明は、地上波放送、衛星放送、携帯電話網、無線ＬＡＮ、等の種々の通信方式によって放送・通信サービスを受信可能な携帯情報端末装置とこの携帯情報にその現在位置を提供する位置情報提供装置とを含んで構成された放送・通信サービス受信システムおよび放送・通信サービス受信機能付き情報端末装置に関し、特に、省電力上の特性に優れたこの種のシステムおよび装置に関する。
【背景技術】
【０００２】
ユーザーが乗車券や定期券などと共に会員カードを自動改札機へ投入したとき、自動改札機がユーザーの通行を許可すると共に情報配信装置からユーザーが所持している携帯電話機に対して、商品情報、イベント情報、地域情報などの配信メールを送信することによって、会員であるユーザーが乗車中に必要な情報を取得することができる技術を更に発展させ、ユーザーが携帯電話機のみを所持して特定のゲートを通過したら所望の乃至は有益な情報を取得できるような情報提供システムが提案されている（特許文献１参照）。
【０００３】
この特許文献１では、その携帯電話機を読み書き手段にかざせば、内部のＩＣチップに記録されている記録内容が変化するので、ＩＣチップの記録内容の変化のタイミングに応答して携帯電話機のアプリケーションソフトを立ち上げて所望の報知情報を表示させることが提案されている。
【０００４】
また、ユーザーの属性、使用場所、使用時間、嗜好の内、少なくとも一つの条件に応じて、それぞれ異なるアプリケーションソフトを立ち上げ、個人の属性や、携帯端末を使用している場所や時間やユーザーの好みなどにマッチした最適な情報を携帯端末に表示させることができるとされ、更に、コンテンツのアクセス回数、検索内容に関するデータ等のアプリケーションの利用履歴を蓄積し、該利用履歴に基づいてアプリケーションを選択して立ち上げることを特徴とするとされている。
【特許文献１】特開２００５−２４２６８６号公報（段落０００５〜段落０００７、段落００２０〜段落００３１、図３）
【発明の開示】
【発明が解決しようとする課題】
【０００５】
しかしながら、特許文献１では、携帯端末を使用している場所や時間の傾向に応じてユーザーの好みなどにマッチした最適な情報を携帯端末に表示させようとするものではあっても、昨今のように、同じ地点で視聴可能な放送番組（地上波放送か衛星放送かといったような放送態様の異なるもの）が多数ある場合にも、効率良く、必要十分な機能部のみを限定的に作動させて、携帯機器として特に肝要な特性である省電力化を図ろうとすることは技術課題として配慮されず、従って、当然ながら、そのような省電力化に係る技術については別段の提案はなされていない。
本発明はこのような状況に鑑みてなされたものであり、省電力上の特性に優れたこの種のシステムならびに装置を提供することを目的としている。
【課題を解決するための手段】
【０００６】
上記課題を解決するべく、本願では次に列記するような技術を提案する。
（１）放送・通信サービス受信機能付き携帯情報端末装置と位置情報提供装置とを含んで構成された放送・通信サービス受信システムであって、前記位置情報提供装置は、前記放送・通信サービス受信機能付き携帯情報端末装置が所定の至近距離の範囲内に在ることを検出すると該放送・通信サービス受信機能付き携帯情報端末装置に対し実質的にその現在位置を表す位置情報を提供するように構成され、前記放送・通信サービス受信機能付き携帯情報端末装置は、前記位置情報提供装置から当該位置情報を受信するための短距離通信部と、複数の通信の形態に各別に対応して設けられ且つ前記短距離通信部が受信した位置情報に対応する該当部を選択的に作動させることが可能に構成された複数の各放送・通信サービス受信部と、を備えていることを特徴とする放送・通信サービス受信システム。
【０００７】
上記（１）の放送・通信サービス受信システムでは、例えば駅の自動改札装置のような形態をとる位置情報提供装置は、例えば携帯電話機のような形態をとる放送・通信サービス受信機能付き携帯情報端末装置が自動改札を受けるためにユーザーによって自己の検知部に近接ないし接触させられて、所定の至近距離の範囲内に在ることを検出すると、該放送・通信サービス受信機能付き携帯情報端末装置に対し実質的にその現在位置を表す位置情報を提供する。
【０００８】
放送・通信サービス受信機能付き携帯情報端末装置は、短距離通信部で位置情報提供装置から実質的に自己の現在位置を表す位置情報を受信すると、例えば地上波放送用、衛星放送用、短距離無線通信用等々複数の通信の形態に各別に対応して設けられた複数の各放送・通信サービス受信部のうち短距離通信部が受信した位置情報に対応する該当部を選択的に作動させる。状況に応じて限定的な放送・通信サービス受信部のみが作動するため省電力の特性に優れる。
【０００９】
（２）所定の位置情報提供装置との通信によって実質的に自己の現在位置を表す位置情報を受信するための短距離通信部と、複数の通信の形態に各別に対応して設けられ且つ前記短距離通信部が受信した位置情報に対応する該当部を選択的に作動させることが可能に構成された複数の各放送・通信サービス受信部と、を備えていることを特徴とする放送・通信サービス受信機能付き情報端末装置。
【００１０】
上記（２）の放送・通信サービス受信機能付き情報端末装置では、短距離通信部で位置情報提供装置から実質的に自己の現在位置を表す位置情報を受信すると、例えば地上波放送用、衛星放送用、短距離無線通信用等々複数の通信の形態に各別に対応して設けられた複数の各放送・通信サービス受信部のうち短距離通信部が受信した位置情報に対応する該当部を選択的に作動させる。状況に応じて限定的な放送・通信サービス受信部のみが作動するため省電力の特性に優れる。
【００１１】
（３）前記短距離通信部が受信した位置情報と該位置情報に対応して選択可能な前記複数の各放送・通信サービス受信部のうちの特定の放送・通信サービス受信部との対応関係の情報を保有するテーブルが格納された記憶部と、前記記憶部に格納されたテーブルを参照して該当する放送・通信サービス受信部を選択的に作動可能にするための切換部とを更に備えたことを特徴とする（２）の放送・通信サービス受信機能付き情報端末装置。
【００１２】
上記（３）の放送・通信サービス受信機能付き情報端末装置では（２）の放送・通信サービス受信機能付き情報端末装置において特に、短距離通信部が受信した位置情報と該位置情報に対応して選択可能な前記複数の各放送・通信サービス受信部のうちの特定の放送・通信サービス受信部との対応関係の情報を保有するテーブルを参照して切換部が該当する放送・通信サービス受信部を選択的に作動可能にする。
位置情報に対応した特定の放送・通信サービス受信部がテーブルを参照することによって迅速且つ確実に識別され、切換部により状況に応じて限定的な放送・通信サービス受信部のみが作動するため省電力の特性に優れる。
【００１３】
（４）前記切換部によって作動可能となった放送・通信サービス受信部内で選局可能な放送・通信サービスのうちからユーザーの操作に応じて特定の放送・通信サービスを選択する手動選局操作を受付ける操作部を更に備え、前記各放送・通信サービス受信部は前記操作部で受付けた手動選局操作に応じた選局動作を実行可能に構成され、前記テーブルは前記各放送・通信サービス受信部内で夫々選局可能な放送・通信サービスを特定する選局データと選局の履歴データとを更に含むように構成されるものであることを特徴とする（３）の放送・通信サービス受信機能付き情報端末装置。
【００１４】
上記（４）の放送・通信サービス受信機能付き情報端末装置では（３）の放送・通信サービス受信機能付き情報端末装置において特に、手動選局操作を受付ける操作部に対するユーザーの操作に応じて最終的な選局が行われ得、更に、各放送・通信サービス受信部内で夫々選局可能な放送・通信サービスを特定する選局データと選局の履歴データとがテーブルに保存されるため、手動選局操作による選局の履歴を反映させた自動選局を行うための可能性が開かれる。
【００１５】
（５）前記複数の各放送・通信サービス受信部のうち少なくとも一の放送・通信サービス受信部は前記テーブルに保有された選局の履歴データに応じて自動的に選局する動作を実行可能に構成されていることを特徴とする（４）の放送・通信サービス受信機能付き情報端末装置。
上記（５）の放送・通信サービス受信機能付き情報端末装置では（４）の放送・通信サービス受信機能付き情報端末装置において特に、複数の各放送・通信サービス受信部のうち少なくとも一の放送・通信サービス受信部によって、テーブルに保有された選局の履歴データに応じて、例えば手動選局操作による選局の履歴を反映させる場合を含んだ形で自動的に選局を実行することができる。
【００１６】
（６）前記複数の各放送・通信サービス受信部は、地上波放送、衛星放送、携帯電話網、無線ＬＡＮ、の何れかに準拠した通信方式によって受信を行うように構成されていることを特徴とする（２）〜（５）の何れか一の放送・通信サービス受信機能付き情報端末装置。
上記（６）の放送・通信サービス受信機能付き情報端末装置では（２）〜（５）の何れか一の放送・通信サービス受信機能付き情報端末装置において特に、複数の各放送・通信サービス受信部は、地上波放送、衛星放送、携帯電話網、無線ＬＡＮ、の何れかに準拠した通信方式によって受信を行うため、通信方式に応じて機能分担する構成を採り得る。
【００１７】
（７）外部との通信によって自己の位置を検出するための情報を取得する測位用通信部と、前記測位用通信部で受信された情報に基づいて自己の位置を表す位置情報を演算により生成する位置情報生成部と、複数の通信の形態に各別に対応して設けられ且つ前記位置情報生成部によって生成された位置情報に対応する該当部を選択的に作動させることが可能に構成された複数の各放送・通信サービス受信部と、を備えていることを特徴とする放送・通信サービス受信機能付き情報端末装置。
【００１８】
上記（７）の放送・通信サービス受信機能付き情報端末装置では、例えばＧＰＳ測位システムに適合する測位用通信部が受信した情報に基づいて位置情報生成部が当該放送・通信サービス受信機能付き情報端末装置の位置を表す位置情報を演算により生成する。
例えば地上波放送用、衛星放送用、短距離無線通信用等々複数の通信の形態に各別に対応して設けられた複数の各放送・通信サービス受信部のうち位置情報生成部で生成された位置情報に対応する該当部が選択的に作動する。状況に応じて限定的な放送・通信サービス受信部のみが作動するため省電力の特性に優れる。
【００１９】
（８）前記測位用通信部が受信した位置情報と該位置情報に対応して選択可能な前記複数の各放送・通信サービス受信部のうちの特定の放送・通信サービス受信部との対応関係の情報を保有するテーブルが格納された記憶部と、前記記憶部に格納されたテーブルを参照して該当する放送・通信サービス受信部を選択的に作動可能にするための切換部とを更に備えたことを特徴とする（７）の放送・通信サービス受信機能付き情報端末装置。
【００２０】
上記（８）の放送・通信サービス受信機能付き情報端末装置では（７）の放送・通信サービス受信機能付き情報端末装置において特に、位置情報生成部で生成された位置情報と該位置情報に対応して選択可能な前記複数の各放送・通信サービス受信部のうちの特定の放送・通信サービス受信部との対応関係の情報を保有するテーブルを参照して切換部が該当する放送・通信サービス受信部を選択的に作動可能にする。
位置情報に対応した特定の放送・通信サービス受信部がテーブルを参照することによって迅速且つ確実に識別され、切換部により状況に応じて限定的な放送・通信サービス受信部のみが作動するため省電力の特性に優れる。
【００２１】
（９）前記切換部によって作動可能となった放送・通信サービス受信部内で選局可能な通信サービスのうちからユーザーの操作に応じて特定の通信サービスを選択する手動選局操作を受付ける操作部を更に備え、前記各放送・通信サービス受信部は前記操作部で受付けた手動選局操作に応じた選局動作を実行可能に構成され、前記テーブルは前記各放送・通信サービス受信部内で夫々選局可能な通信サービスを特定する選局データと選局の履歴データとを更に含むように構成されるものであることを特徴とする（８）の放送・通信サービス受信機能付き情報端末装置。
【００２２】
上記（９）の放送・通信サービス受信機能付き情報端末装置では（８）の放送・通信サービス受信機能付き情報端末装置において特に、手動選局操作を受付ける操作部に対するユーザーの操作に応じて最終的な選局が行われ得、更に、各放送・通信サービス受信部内で夫々選局可能な通信サービスを特定する選局データと選局の履歴データとがテーブルに保存されるため、手動選局操作による選局の履歴を反映させた自動選局を行うための可能性が開かれる。
【００２３】
（１０）前記複数の各放送・通信サービス受信部のうち少なくとも一の放送・通信サービス受信部は前記テーブルに保有された選局の履歴データに応じて自動的に選局する動作を実行可能に構成されていることを特徴とする（９）の放送・通信サービス受信機能付き情報端末装置。
【００２４】
上記（１０）の放送・通信サービス受信機能付き情報端末装置では（９）の放送・通信サービス受信機能付き情報端末装置において特に、複数の各放送・通信サービス受信部のうち少なくとも一の放送・通信サービス受信部によって、テーブルに保有された選局の履歴データに応じて、例えば手動選局操作による選局の履歴を反映させる場合を含んだ形で自動的に選局を実行することができる。
【００２５】
（１１）前記複数の各放送・通信サービス受信部は、地上波放送、衛星放送、携帯電話網、無線ＬＡＮの何れかに準拠した通信方式によって受信を行うように構成されていることを特徴とする（７）〜（１０）の何れか一の放送・通信サービス受信機能付き情報端末装置。
上記（１１）の放送・通信サービス受信機能付き情報端末装置では（７）〜（１０）の何れか一の放送・通信サービス受信機能付き情報端末装置において特に、複数の各放送・通信サービス受信部は、地上波放送、衛星放送、携帯電話網、無線ＬＡＮ、の何れかに準拠した通信方式によって受信を行うため、通信方式に応じて機能分担する構成を採り得る。
【００２６】
（１２）前記テーブルは前記位置情報生成部で生成された位置情報とその発生時刻の履歴である移動履歴データをも更に含むように構成されるものであることを特徴とする（９）の放送・通信サービス受信機能付き情報端末装置。
上記（１２）の放送・通信サービス受信機能付き情報端末装置では（９）の放送・通信サービス受信機能付き情報端末装置において特に、位置情報生成部で生成された位置情報とその発生時刻の履歴である移動履歴データをも更に含むように構成されたテーブルを参照して移動履歴データを反映した自動選局を行い得る可能性が開かれる。
【００２７】
（１３）前記複数の各放送・通信サービス受信部のうち少なくとも一の放送・通信サービス受信部は前記テーブルに保有された移動履歴データに応じて自動的に選局する動作を実行可能に構成されていることを特徴とする（１２）の放送・通信サービス受信機能付き情報端末装置。
上記（１３）の放送・通信サービス受信機能付き情報端末装置では（９）の放送・通信サービス受信機能付き情報端末装置において特に、複数の各放送・通信サービス受信部のうち少なくとも一の放送・通信サービス受信部では、位置情報生成部で生成された位置情報とその発生時刻の履歴である移動履歴データをも更に含むように構成されたテーブルを参照して移動履歴データを反映した自動選局を行い得る。
【発明を実施するための最良の形態】
【００２８】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の放送・通信サービス受信システムを表す概念図である。図示の放送・通信サービス受信システムでは、位置情報提供装置１００は、駅の自動改札装置として、入場側自動改札装置１１０および退場側自動改札装置１２０のような形態をとる。
【００２９】
また、放送・通信サービス受信機能付き携帯情報端末装置２００（以下、適宜、携帯情報端末装置２００と略記する）は、携帯電話機の形態をとる。この携帯電話機型の放送・通信サービス受信機能付き携帯情報端末装置２００は、それによって自動改札装置１００による入退場の許可を得る機能を搭載するものであるが、この機能自体は公知のものと同様である。
【００３０】
携帯情報端末装置２００を携えたユーザー１０００が自動改札を受けるために入場側自動改札装置１１０の検知部１１１に携帯情報端末装置２００を近接ないし接触させると、入場側自動改札装置１１０は携帯情報端末装置２００が所定の至近距離の範囲内に在ることを検出して（極めて短距離で有効な通信であるため、交信可能であるということは即ち所定の至近距離の範囲内に在ることを意味する）、この種の公知の装置同様に、携帯情報端末装置２００側と交信して携帯情報端末装置２００が正規の入場許可条件を充足していることを確認すればゲートを開くなどの動作が行われて入場が許可される。
【００３１】
本発明の自動改札装置１００（入場側自動改札装置１１０）は、このように携帯情報端末装置２００が所定の至近距離の範囲内に在ることを検出すると、携帯情報端末装置２００に対し実質的にその現在位置を表す位置情報を提供する。即ち、夫々の駅に設置された自動改札装置１００は、装置固有情報を保持しており、入場許可の認証を行うための交信に際して、交信される上記装置固有情報（自装置と正規に対応する所定の機器と間の認証に係るＩＤ等を含み得る）、或いは携帯情報端末装置２００との認証の履歴を移動履歴データに残す。
【００３２】
携帯情報端末装置２００側は、自動改札装置１００との交信を行う短距離通信部で位置情報提供装置（入場側自動改札装置１１０）から実質的に自己の現在位置を表す位置情報（厳密には入場側自動改札装置１１０の設置された位置を表す情報であるが、これに接触ないしは極めて近接した位置にあるため実質的に携帯情報端末装置２００の現在位置に相応する情報）を受信して取得する。
【００３３】
上述のような携帯情報端末装置２００との認証の移動履歴データが残される場合は、この移動履歴データに該当する内容の位置を表す情報が、事後の適宜のタイミングでの通信によって、携帯情報端末装置２００に提供され得、このように提供される情報から携帯情報端末装置２００の現在位置に相応する情報（携帯情報端末装置２００がその自動改札装置１００から所定の至近距離の範囲内に在る旨である場合を含む）が認識されることになる。
【００３４】
後述するように、例えば地上波放送用、衛星放送用、短距離無線通信用等々複数の通信の形態に各別に対応して設けられた複数の各放送・通信サービス受信部のうち短距離通信部が受信した位置情報に対応する該当部を選択的に作動させる。
ユーザー１０００が入場側自動改札装置１１０で入場許可を受けるに際して、上述のように、その時点での現在位置の情報を短距離通信部で受信して取得すると、携帯情報端末装置２００側では複数の各放送・通信サービス受信部のうち該取得された位置情報に応じた通信を受信可能になる。
【００３５】
入場後、入場した駅の構内では、略同じ条件で通信を受信することができることが多いが、ユーザー１０００が電車２０００に乗車すると、受信の条件は異なってくる。ユーザー１０００が電車２０００に乗車中において通信を受信する場合については後述する。
その後、ユーザー１０００が目的の駅で降車し、で改札を受けるに際して、入場時について上述したところと同様に、携帯情報端末装置２００側では、退場側自動改札装置１２０から、その時点での現在位置の情報を短距離通信部で受信して取得する。
【００３６】
図１においては、ユーザー１０００が入場側自動改札装置１１０で入場許可を受けてから電車２０００に乗車するまでの領域ではＡ，Ｂ，Ｃの３通りの通信サービスが良好に受信でき、電車２０００に乗車中においてはＤの通信サービスが良好に受信でき、退場側自動改札装置１２０を経て退場する領域ではＥの通信サービスが良好に受信できる様子を象徴的に表わしている。
【００３７】
図２は、図１中の放送・通信サービス受信機能付き携帯情報端末装置の実施の形態における構成を表すブロック図である。
図２における本発明の一実施の形態としての放送・通信サービス受信機能付き携帯情報端末装置２００は例えば、所謂ワンセグと称されるデジタルテレビジョン放送受信機能をも備えたものとして具現される。
【００３８】
携帯情報端末装置２００の主要な各機能部はマイクロプロセッサを主体に構成されたシステムコントローラ２１０によって統括的に制御される。この携帯情報端末装置２００の一つの重要な機能部は携帯電話機としての機能部であり、次のような構成を有する。
即ち、無線通信部２２０と、この無線通信部２２０とシステムコントローラ２１０との共働によって音声を処理する音声処理機能部（２１０＋２２０）と、メモリ２３０と、キー入力部（操作部）２４０と、例えば液晶パネルにより構成される表示器２５０と、システムコントローラ２１０の機能に該当するデータ処理機能部（２１０）とを備えている。
【００３９】
通常の通話時に受信した音声信号は上述の音声処理機能部（２１０＋２２０）を介してスピーカ２６０に与えられ音声が発せられる。
一方、ユーザー１０００の発した音声はマイク２７０によって音声信号に変換された後、音声処理機能部（２１０＋２２０）において増幅等の処理がなされ、無線通信部２２０を経て電話機能部のアンテナ２２１によって空中に送出される。
【００４０】
他方、データ処理機能部（２１０）は受信したパケットに対する処理を行う。無線通信部２２０は、音声やデータの送受信処理、基地局との間での所定のプロトコル処理を実行する。システムコントローラ２１０は既述のように電話機能部をも含む装置全体の系を統括的に制御するが、放送・通信サービス受信部３００との間の連携のための処理をも賄うように構成されている。
【００４１】
例えば、操作部２４０においてユーザー１０００によってデジタルテレビジョン放送視聴のためのキー操作が行われると、放送・通信サービス受信部３００に起動の指令を与え、放送・通信サービス受信部３００から出力される映像を表示器２５０に与える処理や、操作部２４０のテンキーが操作されたときに、その番号をチャンネル番号とする選局指令を放送・通信サービス受信部３００に与える処理などを実行する。
【００４２】
更に、電話機能部では基地局（不図示）から送られてくる番組のパケットを取得し、これをデータ処理機能部（２１０）でトランスポートストリーム化して放送・通信サービス受信部３００に与える処理なども行う。図２においては、放送・通信サービス受信部３００は単一のアンテナ３０１を有する如くに表わされているが、後述するとおり、単一のアンテナ３０１は複数種類のアンテナを象徴的に１本の如く表わしたものである。放送・通信サービス受信部３００の構成については図３を参照して説明する。
【００４３】
図２の放送・通信サービス受信機能付き携帯情報端末装置２００には、更に、システムコントローラ２１０との共働によって短距離通信部としての機能を賄うＲＦＩＤチップ２８０が搭載されている。
ＲＦＩＤチップ２８０はＩＣタグと通称される１チップのＩＣで、日本国内の鉄道会社の自動改札機用に普及している非接触のＩＣカードに適用されているものと同様、外部のアンテナも電源も必要とせずにこのＩＣタグに対応するタグリーダー（図１の例では、自動改札装置１００の検知部１１１）と極めて近接した距離内で通信を行うことができる。
【００４４】
タグリーダーからの電波を受けて自己に誘起した電力で作動するＩＣタグはパッシブタイプとして知られ普及を見ているものであるが、図２の実施の形態に適用するものはこのようなパッシブタイプのものに限られずアクティブタイプのものであってもよい。
但し、通信距離が極めて短いパッシブタイプのものの方が、タグリーダー（位置情報提供装置１００として機能する自動改札装置のような装置）側との距離が近接している場合にのみ通信が可能なことから、タグリーダー側から取得されるそれの設置位置の情報は、略ＩＣタグの位置（従って放送・通信サービス受信機能付き携帯情報端末装置２００の位置）を表わすものと看做せ、図１のようなシステムの場合は、位置の検出精度の点では有利であるとも言える。
【００４５】
図３は、図２中の放送・通信サービス受信部の構成を表すブロック図である。放送・通信サービス受信部３００は、複数の通信の形態に各別に対応して設けられ、地上波放送、衛星放送、携帯電話網、無線ＬＡＮ等の何れかに準拠した通信方式によって受信を行うように構成され、図示の例では、複数の各放送・通信サービス受信部としての、地上波放送受信部３１０、衛星放送部３２０、３Ｇ通信部３３０、および、短距離無線通信部３４０を含んで構成され、更に、これら複数の各放送・通信サービス受信部３１０、３２０、３３０、および、３４０を統括的に制御すると共に、所要に応じて共働し、これらの各放送・通信サービス受信部３１０、３２０、３３０、および、３４０が各仕様を満たすように機能し得るための情報（データ）の授受や演算を実行するシステムコントローラ３５０が設けられている。
【００４６】
このシステムコントローラ３５０は図２を参照して説明したシステムコントローラ２１０に対し、場合に応じてその下位階層に相当する機能を賄うサブシステムコントローラであるため、図３では末尾に「（サブ）」の表記が附されている。
各放送・通信サービス受信部３１０、３２０、３３０、および、３４０は、システムコントローラ３５０の制御下で、図２の短距離通信部たるＲＦＩＤチップ２８０が受信した位置情報に対応する放送・通信サービス受信部が選択的に作動するように構成されている。
【００４７】
地上波放送受信部３１０は、例えば、所謂「ワンセグ」と通称されるようなモバイル受信機向けのデジタルテレビジョン放送の受信を行うが、この「ワンセグ」の放送専用の機能に限定される必然はない。
衛星放送部３２０は、例えば、「モバホ」（モバＨＯ！（登録商標））等と称呼されるモバイル受信にも適合する衛星放送サービスの受信を行う。
【００４８】
３Ｇ通信部３３０は、ＣＤＭＡ（符号分割多重接続）方式での通信により適宜の放送サービスの受信を行うが、所要に応じて、交信する機能をも保有する。
短距離無線通信部３４０は、例えば、ＩＥＥＥ８０２．１１ｂ、ＩＥＥＥ８０２．１１ｇ、の何れかに準拠した通信方式によって受信を行うが、所要に応じて、交信する機能をも保有する。
【００４９】
以上に例示した通り、各放送・通信サービス受信部３１０、３２０、３３０、および、３４０は、通信方式に応じて機能分担する構成を採る。尚、各放送・通信サービス受信部３１０、３２０、３３０、および、３４０は夫々が賄う通信方式における複数の通信サービスのいずれかを選択的にユーザーが視聴可能にするように構成され得る。
放送・通信サービス受信部３００のシステムコントローラ（サブ）３５０は図２を参照して既述のシステムコントローラ２１０を介して記憶手段としてのメモリ２３０にアクセスする。このメモリ２３０には、短距離通信部（ＲＦＩＤチップ２８０）が受信した位置情報とこの位置情報に対応して選択可能な複数の各放送・通信サービス受信部３１０、３２０、３３０、および、３４０のうちの特定の放送・通信サービス受信部との対応関係の情報を保有するテーブルが格納されている。
【００５０】
システムコントローラ（サブ）３５０はこのテーブルを参照して、該当する放送・通信サービス受信部を選択的に作動可能にするための切換部としても機能し、該当する放送・通信サービス受信部に給電するなどしてそれらを選択的に作動可能にする。
テーブルは各放送・通信サービス受信部３１０、３２０、３３０、および、３４０内で夫々選局可能な通信サービスを特定する選局データをも登録される。
【００５１】
位置情報に対応した特定の放送・通信サービス受信部（３１０、３２０、３３０、および、３４０の何れか）がテーブルを参照することによって迅速且つ確実に識別され、切換部により状況に応じて限定的な放送・通信サービス受信部のみが作動するため優れた省電力特性を実現できる。
一方、図２を参照して説明したように操作部２４０とシステムコントローラ２１０の該当する機能部は共働して視聴対象とする放送を選択するものであり、切換部によって作動可能となった放送・通信サービス受信部内で選局可能な通信サービスのうちからユーザーの操作に応じて特定の通信サービスを選択する手動選局操作を受付ける操作部としても機能する。
【００５２】
そして、このような操作部による選局の履歴データも上述のテーブルに登録される。即ち、上述のテーブルは、各放送・通信サービス受信部３１０、３２０、３３０、および、３４０内で夫々選局可能な放送サービスを特定する選局データと、選局の履歴データと、を更に含むように構成される。
【００５３】
システムコントローラ（サブ）３５０の制御下で、複数の各放送・通信サービス受信部のうち少なくとも一の放送・通信サービス受信部（３１０、３２０、３３０、および、３４０の何れか）は上述のテーブルに保有された選局の履歴データに応じて自動的に選局する動作を実行可能に構成されている。このため、複数の各放送・通信サービス受信部のうち少なくとも一の放送・通信サービス受信部（３１０、３２０、３３０、および、３４０の何れか）によって、テーブルに保有された選局の履歴データに応じて、例えば手動選局操作による選局の履歴を反映させる場合を含んだ形で自動的に選局を実行することができる。
【００５４】
図４は、図１中の放送・通信サービス受信機能付き携帯情報端末装置の他の実施の形態における構成を表すブロック図である。図４において図２との対応部は同一の符号を附して示し、それら各部の詳細な説明は省略するが、図４の実施の形態では、図２におけるシステムコントローラ２１０との共働によって短距離通信部としての機能を賄うＲＦＩＤチップ２８０に替えて外部との通信によって自己の位置を検出するための情報を取得する測位用通信部２９０を設け、システムコントローラ２１０ａが測位用通信部２９０で受けた情報に基づいて自己の位置を表す位置情報を演算により生成する位置情報生成部としても機能するように構成されている点が異なる。
【００５５】
即ち、図４の放送・通信サービス受信機能付き情報端末装置２００ａは、例えばＧＰＳ測位システムに適合する測位用通信部２９０が受信した情報に基づいて位置情報生成部（２１０ａ）が当該放送・通信サービス受信機能付き情報端末装置の位置を表す位置情報を演算により生成する。
【００５６】
一方、放送・通信サービス受信部３００は、図３を参照して既述のとおり、複数の通信の形態に各別に対応して設けられ複数の各放送・通信サービス受信部としての、地上波放送受信部３１０、衛星放送部３２０、３Ｇ通信部３３０、および、短距離無線通信部３４０を含んで構成され、更に、これら複数の各放送・通信サービス受信部３１０、３２０、３３０、および、３４０を統括的に制御すると共に、所要に応じて共働し、これらの各放送・通信サービス受信部３１０、３２０、３３０、および、３４０が各仕様を満たすように機能し得るための情報（データ）の授受や演算を実行するシステムコントローラ３５０が設けられている。
【００５７】
これらの各放送・通信サービス受信部３１０、３２０、３３０、および、３４０のうち位置情報生成部（２１０ａ）で生成された位置情報に対応する該当部が選択的に作動する。状況に応じて限定的な放送・通信サービス受信部のみが作動するため省電力の特性に優れる点は図２について既述の実施の形態と同様である。
測位用通信部２９０は上述のようなＧＰＳ測位システムに適合する方式のものであり得るが、このような方式のものの他、本発明者による特許第３０００６６６号（登録日：平成１１年１１月１２日、発行日：平成１２年１月１７日）の如く、ＦＭ放送または移動体電話の小エリア基地局信号に含まれる識別信号を位置情報として自動的に受信するように構成されてもよい。
【００５８】
この場合、上記特許における如く、更に時刻情報を出力する計時手段を備えて、位置情報生成部（２１０ａ）で生成された位置情報と該位置情報に対応して選択可能な複数の各放送・通信サービス受信部のうちの特定の放送・通信サービス受信部（図３における、３１０、３２０、３３０、および、３４０の何れか）との対応関係の情報を保有するテーブル（２３０内）を参照して切換部（図３を参照して既述）が該当する放送・通信サービス受信部を選択的に作動可能にするように構成してもよい。
上述の構成を採れば、位置情報に対応した特定の放送・通信サービス受信部がテーブルを参照することによって迅速且つ確実に識別され、切換部により状況に応じて限定的な放送・通信サービス受信部のみが作動するため省電力の特性に優れる。
【００５９】
更に、図２および図３を参照して説明した実施の形態におけると同様に、切換部によって作動可能となった放送・通信サービス受信部内で選局可能な通信サービスのうちからユーザーの操作に応じて特定の通信サービスを選択する手動選局操作を受付ける操作部（図２：２４０）を更に備え、各放送・通信サービス受信部（図３における、３１０、３２０、３３０、および、３４０）は操作部（図２：２４０）で受付けた手動選局操作に応じた選局動作を実行可能に構成され、この場合、上記テーブルは各放送・通信サービス受信部内で夫々選局可能な通信サービスを特定する選局データと選局の履歴データとを更に含むように構成され得る。
【００６０】
更にまた、各放送・通信サービス受信部のうち少なくとも一の放送・通信サービス受信部（図３における、３１０、３２０、３３０、および、３４０の何れか）は上記テーブルに保有された選局の履歴データに応じて自動的に選局する動作を実行可能に構成され得る。このような構成を採った場合には、テーブルに保有された選局の履歴データに応じて、例えば手動選局操作による選局の履歴を反映させる場合を含んだ形で自動的に選局を実行することができる。
【００６１】
また、上記テーブルを、位置情報生成部（２１０ａ）で生成された位置情報とその発生時刻の履歴である移動履歴データをも更に含むように構成し、且つ、複数の各放送・通信サービス受信部のうち少なくとも一の放送・通信サービス受信部はテーブルに保有された移動履歴データに応じて自動的に選局する動作を実行可能に構成すれば、この移動履歴データを反映した自動選局を行い得る。
【００６２】
以上説明した各実施の形態において、ユーザーが手動操作してテーブルデータを形成するに当たり、本装置の使用の当初から漸次ユーザーの所望に応じて保有データを更新することによって、ユーザーの趣向によりフィットした通信サービスの自動選択が可能になるように放送・通信サービス受信機能付き情報端末装置は次第に成長を遂げる如くに変容する。
【００６３】
即ち、ユーザーは、本放送・通信サービス受信機能付き情報端末装置の使用の当初、使用する領域で利用可能なサービスを事業者等から取得したテーブルから選択し実際に使用しての実績からテーブル更新をスタートする。この選択時に通常はスキャン（全ての可能性の有るサービスから最適な物に順位をつけて）してその中から実際にその時点で使用できる高速通信サービス（放送サービス）の種別によってテーブルが更新される。
【００６４】
理解の便宜のために、敢えて簡易な例を挙げれば、携帯ラジオでＮＨＫをずっと聞き続けたい時、場所毎に提供周波数が異なるテーブル（複数周波数）を予め保有しておき、その中から地点毎に最良の周波数がテーブルに登録されるといったような態様である。
以上のようなテーブルを保有する構成では、過去の履歴から最適な候補の情報取得チャンネルに順位が付けられ、その順位に従って情報受信が行われ、情報受信が可能なチャネルでの情報受信が行われると同時にテーブルの履歴更新が行われ得る。
【００６５】
例えば昨日、電車のホームで短距離無線通信部３４０でＩＥＥＥ８０２．１１ｂ経由でニュースを聞いた場合には、今日は自動的にＩＥＥＥ８０２．１１ｂ経由のニュースが提供されるようになる。
この場合、ユーザーは、新たに天気予報チャネルを手動で選択することができるが、このような手動選択を行うと、次の日には、ニュースと天気予報が自動的に提供される。
【００６６】
再び図１を参照して理解し易い例を挙げれば、自動改札装置１００（入場側自動改札装置１１０）で、ＲＦＩＤチップ２８０による短距離通信（ＲＦＩＤ通信）での位置情報の取得をトリガとして、電車のホーム迄の移動時には、ユーザーは何も手を機器に触れずに、例えば改札口付近ではＩＥＥＥ８０２．１１ｂ経由のＡ社によるニュース、ホームへ移動するときにはブルートゥース(登録商標)によるＣ社提供の交通情報、ホームと車内では再びＩＥＥＥ８０２．１１ｂによるＤ社提供の英会話等という様に自動選択が行われるといったものである。
【００６７】
上述のように、ユーザーによる放送・通信サービスの選択に係る履歴に応じてテーブルの履歴更新が行われ得るような機能をも搭載した放送・通信サービス受信機能付き情報端末装置の場合は、一の地点で選択し視聴した放送・通信サービスを、この履歴に依拠して、他の地点で自動的に選択するための手段として用い得るような機能を実現することも可能である。具体的には、或る駅で選択し視聴した所謂ワンセグのデジタルテレビジョン放送番組を、帰宅後に大画面のディスプレイ装置(デジタルテレビジョン受像機)で視聴するような場合に、このときの選局が携帯情報端末装置に保持されている履歴に基づいて自動的に実行され得るといったような機能である。
以上に説明した例の他、放送・通信サービス受信機能付き携帯情報端末装置２００が位置情報を取得可能にするための位置情報提供装置は種々考えられる。
【００６８】
図５は、位置情報提供装置の例を表す概念図である。図５において、ユーザー１０００は右手に持ったカバン１５００の中に、携帯情報端末装置２００を保有し、ワイヤレス式のヘッドホン２００ｈを用いて放送を聴く。
ユーザー１０００が差し掛かった地点の上方には蛍光灯式の照明器具５００が設けられているが、この照明器具５００における蛍光灯本体部５１０の上部に赤外光Ｉｒによって人体が接近したことを検知して蛍光灯を自動点灯させるための検知器５２０が設けられている。
【００６９】
この検知器５２０は人体が接近したことを検知して蛍光灯を自動点灯させるが、一方、検知器５２０によって人体の接近が検知され、蛍光灯が自動点灯したときには、この点灯に応答して、例えばＺｉｇＢｅｅ(登録商標)のような近距離無線で位置情報を空中に放射する位置情報提供装置１５０が検知器５２０に隣接して設置されている。
携帯情報端末装置２００側では、このＺｉｇＢｅｅ(登録商標)による位置情報を既述の例の如く受信して位置情報を取得することができる。位置情報を取得して以降の動作については既述の場合と同様である。図５では、図１におけると同様に、図示の地点ではＡ，Ｂ，Ｃの３通りの通信サービスが良好に受信できる様子を象徴的に表わしている。
【００７０】
図６は、図５の位置情報提供装置１５０の構成を表すブロック図である。作動検出部１５１が蛍光灯が自動点灯による光または負荷電流に基づいて照明器具５００が点灯したことを検出すると、この検出信号を制御部１５２に供給する。制御部１５２は、この検出信号を受けると、アンテナ１５３から、例えば上述の例では、ＺｉｇＢｅｅ(登録商標)のような低パワー近距離通信で、自己の保有する位置情報を空中に放射する。尚、このような形態での位置情報の提供は、例えば、タイマーによる計時動作に基づいて、一定の周期（例えば５秒）毎に行なうようにして、システム全体として省電力化を図るようにすることは推奨される。
【００７１】
このときの位置情報は、例えば、照明器具５００の設置時点で設定されて、例えばＥＥＰＲＯＭやフラッシュメモリ等の位置情報記憶手段１５４に予め保有されている。尚、この位置情報はＩＤ情報に基づいてネットワークを通して適宜のサーバから取得し、位置情報記憶手段１５４に格納するようにしてもよい。
制御部１５２は、例えば日照時にはソーラーパネル１５５から給電可能に構成された電源１５６から供給される電力によって作動する。尚、上述のような位置情報提供装置１５０の作動電源を得るための電力の取得は、最近発表された、インバータ型蛍光灯内の電流が発生する磁界から電磁誘導で発電を行うようにした給電技術、或いは、ラピッドスタート型蛍光灯の端子から電力をタップオフするようにした給電技術を利用して行うように構成してもよい。
【００７２】
本発明の放送・通信サービス受信システムは、既述のように構成される他、デパートやショッピングモールの入り口などに、位置情報提供装置を設置して、ＲＦＩＤチップによる短距離通信（ＲＦＩＤ通信）での位置情報の取得をトリガとして、本発明の実施形態としての放送・通信サービス受信装置（ヘッドセットの形態を採るものであってもよい）を携えた（装着した）顧客に、種々のサービスや商品、或いは、イベント等に関する情報をブルートゥース(登録商標)での通信によって提供するような形態としても構築することができる。
【００７３】
以上の他に、位置情報提供装置として機能する装置から位置情報端末装置が位置情報を取得することができるシステムを構築するに適した場所の例を次に列記する。
【００７４】
・会社や学校等のゲートや昇降口：このような場所での入退場時行なわれるＲＦＩＤによる認証に際して、個人認証情報交換の機会に位置情報提供装置として機能する認証装置から携帯情報端末装置側が場所情報を得て、その場所情報に適合する通信チャンネル（放送）を利用して、その日のスケジュール変更や帰りの交通機関の最新情報等を入手する。
【００７５】
・高速道路のＥＴＣのゲート：ＥＴＣの通信トリガに際して通信を行い、ＥＴＣ装置に組み込まれた位置情報提供装置から携帯情報端末装置側が場所情報を得て、その場所情報に適合する通信チャンネル（放送）を利用して、道路交通関連情報を得る。
【００７６】
・階段や廊下などの自動点灯照明機材：図５および図６を参照して説明したような場合であり、階段や廊下などに上述の位置情報提供装置が設置され、そこから位置情報が得られるので、それを移動位置情報として利用してコンテンツを提供する。
【００７７】
・部屋の出入り口：その部屋に入る意思を確認して室内の照明が点灯すると図５および図６を参照して説明した例におけると同様にして、同時にコンテンツが提供され室内のパネルディスプレーから最適なコンテンツが提供されるようにシステムを構築する。
【００７８】
・通学路等：通学路に設置された位置情報提供装置からの位置情報によってではＩＥＥＥ８０２．１１ｂ経由のＡ社によるニュース、ホームへ移動するときにはブルートゥース(登録商標)によるＣ社提供の交通情報、ホームと車内では再び等のインフラを用いて定期的（１回／３０分）や緊急時に移動履歴情報が端末機器から発生されることにより、常時端末と通信する必要も無く実用的な「見守り」が可能となる。
【００７９】
・ＶＩＣＳ（登録商標）等の通信サービスを受ける地点：交差点等でのＶＩＣＳ通信（ＶＩＣＳの通信相手機器）は固定なのでこれを位置情報提供装置とし、此処との通信をトリガとして、通信履歴から位置を特定でき、次回からの自動通信インフラ選択のトリガとして活用する。得られた位置情報からＡＭラジオを1620KHz等の最適なチャネルに設定して交通情報を得たり、必要な時にはＪＡＲＴＩＣ（財団法人道路交通情報センター）等のＷＥＢに接続して交通情報を得る。
【００８０】
本発明の実施の形態において、既述のようなテーブルを敢えて保有する場合の利点、および、装置を具現するに際して適用され得る有望な技術について補足説明する。
即ち、今後、移動体に対する無線サービスの種類とアンテナの数は非常に多くなるので、同じエリア内で１０程度の通信サービスの選択が可能となり、既存のテーブルは候補の羅列には便利であっても、実際の携帯情報端末装置における受信選択の優先決定にはその場所と携帯条件（鞄の中、上着のポケット・・・）によって最適なサービスも異なると予測される。従って、基本的には位置情報提供装置から取得された位置から既知テーブルを参照することから始って、このテーブルを学習更新していくことが有利である。
【００８１】
また一方、多種多様な通信サービスに対して単一の無線チップで対応可能な、所謂リコンフィギュラブルＲＦチップを本発明の装置に応用することは有望である。位置情報に応答して対応する機能が編成されてこれをアクティブにする形で応用されると見込まれるが、この場合でも、本発明思想に沿って実施すれば、消費電力が少なく、長時間のバッテリーオペレーションに堪える放送・通信サービス受信機能付き携帯情報端末装置が実現される。
【００８２】
更にまた、端末や基地局などの無線装置にそれらが設置された乃至は移動中の領域の電波環境を認識する機能を搭載し、電波環境に応じて、周波数や方式を選択的に切換えて適用し、周波数の利用効率を高めるコグニティブ無線の技術開発が活発化しており、このコグニティブ無線を実現する方途としてもリコンフィギュラブルＲＦチップの適用が有力視されている。茲に、更に、本発明の技術を適用すれば、複数の無線システムが時間と周波数空間を適応的に共用するシステムが効率的に構築される可能性が高い。
【図面の簡単な説明】
【００８３】
【図１】本発明の放送・通信サービス受信システムを表す概念図である。
【図２】図１中の放送・通信サービス受信機能付き携帯情報端末装置の実施の形態における構成を表すブロック図である。
【図３】図２中の放送・通信サービス受信部の構成を表すブロック図である。
【図４】図１中の放送・通信サービス受信機能付き携帯情報端末装置の他の実施の形態における構成を表すブロック図である。
【図５】位置情報提供装置の例を表す概念図である。
【図６】図５の位置情報提供装置の構成を表すブロック図である。
【符号の説明】
【００８４】
１００…位置情報提供装置  １１０…入場側自動改札装置  １２０…退場側自動改札装置  １５０…位置情報提供装置  ２００…携帯情報端末装置    ２１０…システムコントローラ  ２２０…無線通信部    ２３０…メモリ  ２４０…キー入力部（操作部）  ２５０…表示器  ２６０…スピーカ    ２７０…マイク  ２８０…ＲＦＩＤチップ  ２９０…測位用通信部  ３００…放送・通信サービス受信部  ３１０…地上波放送受信部  ３２０…衛星放送部  ３３０…３Ｇ通信部  ３４０…短距離無線通信部  ３５０…システムコントローラ  ５００…照明器具  １０００…ユーザー  ２０００…電車
【図１】
2007228241.tif 000003
【図２】
2007228241.tif 000004
【図３】
2007228241.tif 000005
【図４】
2007228241.tif 000006
【図５】
2007228241.tif 000007
【図６】
2007228241.tif 000008